(57)【要約】【課題】カレンダーの日付を好適に指示することができる日付マーカーと、その日付マーカーを備えた日付マーカー付きカレンダーを実現する。【解決手段】カレンダー用紙１０に静電気によって貼着する静電吸着シートを用いた日付マーカー２０であれば、その日付マーカー２０を貼着した跡がカレンダー用紙１０に残らず、カレンダー用紙１０の紙面を傷めてしまうことがないので、この日付マーカー２０を用いて毎日の日付の切り替えや度重なるスケジュール変更を行うような場合でも、好適にカレンダーの日付を指示することができる。特に、カレンダー用紙１０に静電気によって貼着した日付マーカー２０を指先でずらすようにして、カレンダー用紙１０の表面をスライド移動させることができるので、カレンダー用紙１０から日付マーカー２０を一旦取り外すことなく、その日付マーカー２０で指し示すカレンダーの日付を容易に変更することができる。【選択図】図１
2019159070.tif 000002
【特許請求の範囲】
【請求項１】
暦に関する日付が記載されている１枚又は複数枚綴りのカレンダー用紙と、前記カレンダー用紙に着脱可能に取り付けられる日付マーカーと、を備えた日付マーカー付きカレンダーであって、
前記日付マーカーは、前記カレンダー用紙に静電気によって貼着する静電吸着シートであることを特徴とする日付マーカー付きカレンダー。
【請求項２】
前記日付マーカーは、前記カレンダー用紙の表面をスライド移動可能に貼着されていることを特徴とする請求項１に記載の日付マーカー付きカレンダー。
【請求項３】
前記日付マーカーは、少なくとも一部が着色されている透明又は半透明の静電吸着シートであることを特徴とする請求項１又は２に記載の日付マーカー付きカレンダー。
【請求項４】
前記日付マーカーの外縁が枠状に着色されていることを特徴とする請求項３に記載の日付マーカー付きカレンダー。
【請求項５】
前記カレンダー用紙の表面の平滑度は、ＪＩＳ  Ｐ８１５５（２０１０）に準拠して測定した王研式平滑度で、１０［秒］以上、１００００［秒］以下であることを特徴とする請求項１〜４のいずれか一項に記載の日付マーカー付きカレンダー。
【請求項６】
暦に関する日付が記載されているカレンダー用紙に貼着されて、その日付を指し示す日付マーカーであって、
当該日付マーカーは、少なくとも一部が着色されている透明又は半透明の静電吸着シートであり、前記カレンダー用紙の表面をスライド移動可能に静電気によって貼着されることを特徴とする日付マーカー。 
【発明の詳細な説明】
【技術分野】
【０００１】
本発明は、カレンダーの日付を指示するための日付マーカーと、その日付マーカーを備えた日付マーカー付きカレンダーに関する。
【背景技術】
【０００２】
従来、カレンダーの日付を指示するために、カレンダーの表面に密着させて使用する表示具が知られている（例えば、特許文献１参照。）。
この表示具は、可撓性を有する軟質樹脂材料からなる吸盤様の器具であり、カレンダーの表面に表示具を押し付け、表示具とカレンダーとの間を真空に近い状態にすることで、カレンダーの表面に密着させることができる。
【０００３】
また、カレンダーの台紙の裏側に鉄板を取り付けたり、カレンダーの台紙に鉄粉などの強磁性体を含有させたりして、カレンダー表面にマグネット製の表示具が付着するようにしたものが知られている（例えば、特許文献２参照。）。
【先行技術文献】
【特許文献】
【０００４】
【特許文献１】特開２００４−２１２６３０号公報
【特許文献２】特開２００８−１２６６５４号公報
【発明の概要】
【発明が解決しようとする課題】
【０００５】
しかしながら、上記特許文献１の表示具の場合、樹脂材料が劣化するなどして硬化し、その可撓性が低下してしまうと、表示具がカレンダーの表面に貼り付かなくなってしまうことがあった。
【０００６】
また、上記特許文献２のカレンダーのように、カレンダーの台紙の裏側に鉄板を取り付けるとその重量が増してしまい、壁掛け用カレンダーには不向きになるという問題があった。
また、カレンダーの台紙に強磁性体（鉄粉）を含有させると、台紙のコストが増大するので、カレンダーの製造コストが増大してしまう問題があった。
【０００７】
また、カレンダーの日付を指示する表示具の位置を調整する際に、カレンダーの紙面上を滑らせるように表示具を指先で動かすことができればという要望があるが、上記特許文献１の吸盤様の表示具は滑らせることができなかった。
また、上記特許文献２のマグネット製の表示具であれば、カレンダーの紙面上を滑らせることは可能であるが、その滑りが悪いので、一方の手でカレンダー側を押さえつつ、他方の手で表示具を動かさなければならず、煩雑であった。
【０００８】
本発明の目的は、カレンダーの日付を好適に指示することができる日付マーカーと、その日付マーカーを備えた日付マーカー付きカレンダーを提供することである。
【課題を解決するための手段】
【０００９】
以上の課題を解決するため、請求項１に記載の発明は、
暦に関する日付が記載されている１枚又は複数枚綴りのカレンダー用紙と、前記カレンダー用紙に着脱可能に取り付けられる日付マーカーと、を備えた日付マーカー付きカレンダーであって、
前記日付マーカーは、前記カレンダー用紙に静電気によって貼着する静電吸着シートであることを特徴とする。
【００１０】
請求項１に記載の発明によれば、日付マーカーをカレンダー用紙に貼着し、その日付マーカーでカレンダーの日付を指し示すことができる。
特に、カレンダー用紙に静電気によって貼着する静電吸着シートを用いた日付マーカーであれば、その日付マーカーを貼着した跡がカレンダー用紙に残らず、カレンダー用紙の紙面を傷めてしまうことがないので、この日付マーカーを用いて毎日の日付の切り替えや度重なるスケジュール変更を行うような場合でも、好適にカレンダーの日付を指示することができる。
また、カレンダー用紙に静電気によって貼着した日付マーカーであれば、その日付マーカーを指先でずらすように、日付マーカーの位置を調整することができる。
【００１１】
請求項２に記載の発明は、請求項１に記載の日付マーカー付きカレンダーにおいて、
前記日付マーカーは、前記カレンダー用紙の表面をスライド移動可能に貼着されていることを特徴とする。
【００１２】
請求項２に記載の発明によれば、カレンダー用紙に静電気によって貼着した日付マーカーを指先で滑らせるようにして、そのカレンダー用紙の表面をスライド移動させることができるので、カレンダー用紙から日付マーカーを一旦取り外すことなく、その日付マーカーで指し示すカレンダーの日付を容易に変更することができる。
例えば、カレンダー用紙の右端側の日付から左端側の日付に切り替える場合でも、日付マーカーを指先で滑らせ、好適にスライド移動させることができる。
【００１３】
請求項３に記載の発明は、請求項１又は２に記載の日付マーカー付きカレンダーにおいて、
前記日付マーカーは、少なくとも一部が着色されている透明又は半透明の静電吸着シートであることを特徴とする。
【００１４】
請求項３に記載の発明によれば、日付マーカーをカレンダー用紙の日付に重ねて貼着しても、その日付マーカーを透過させてカレンダーの日付を視認することができる。
【００１５】
請求項４に記載の発明は、請求項３に記載の日付マーカー付きカレンダーにおいて、
前記日付マーカーの外縁が枠状に着色されていることを特徴とする。
【００１６】
請求項４に記載の発明によれば、カレンダー用紙に貼着した日付マーカーの着色された枠部分でカレンダーの日付を囲うように指し示すことができる。
【００１７】
請求項５に記載の発明は、請求項１〜４のいずれか一項に記載の日付マーカー付きカレンダーにおいて、
前記カレンダー用紙の表面の平滑度は、ＪＩＳ  Ｐ８１５５（２０１０）に準拠して測定した王研式平滑度で、１０［秒］以上、１００００［秒］以下であることを特徴とする。
【００１８】
請求項５に記載の発明によれば、強過ぎず又弱過ぎない静電吸着力で、静電吸着シートを用いた日付マーカーをカレンダー用紙に貼着することができる。
そして、日付マーカーがカレンダー用紙に好適に静電吸着していると、その日付マーカーを指先でずらすようにして、カレンダー用紙の表面を好適にスライド移動させることができる。
例えば、カレンダー用紙の表面の平滑度（王研式平滑度）が１００００［秒］を越え、その表面が非常に高い平滑性を有していると、日付マーカーがカレンダー用紙に強く貼着するので、日付マーカーで指し示すカレンダーの日付を変更し難くなることがある。
また、カレンダー用紙の表面の平滑度（王研式平滑度）が１０［秒］未満であり、その表面がざらついていると、日付マーカーのカレンダー用紙に対する貼着が弱く、日付マーカーがカレンダー用紙から剥がれ易くなることがある。
【００１９】
請求項６に記載の発明は、
暦に関する日付が記載されているカレンダー用紙に貼着されて、その日付を指し示す日付マーカーであって、
当該日付マーカーは、少なくとも一部が着色されている透明又は半透明の静電吸着シートであり、前記カレンダー用紙の表面をスライド移動可能に静電気によって貼着されることを特徴とする。
【００２０】
請求項６に記載の発明によれば、カレンダー用紙に静電気によって貼着した日付マーカーを指先でずらすようにして、カレンダー用紙の表面をスライド移動させることができるので、カレンダー用紙から日付マーカーを一旦取り外すことなく、その日付マーカーで指し示すカレンダーの日付を容易に変更することができる。
また、日付マーカーをカレンダー用紙の日付に重ねて貼着しても、その日付マーカーを透過させてカレンダーの日付を視認することができるので、好適にカレンダーの日付を指示することができる。
【発明の効果】
【００２１】
本発明によれば、カレンダーの日付を好適に指示することができる日付マーカーと、その日付マーカーを備えた日付マーカー付きカレンダーが得られる
【図面の簡単な説明】
【００２２】
【図１】本実施形態の日付マーカー付きカレンダーを示す斜視図である。
【図２】カレンダー用紙に貼着された日付マーカーを示す拡大図（ａ）（ｂ）である。
【図３】カレンダー用紙に貼着された日付マーカーをスライド移動させる態様を示す説明図である。
【図４】日付マーカーの一例を示す説明図である。
【図５】カレンダー用紙に貼着された日付マーカーの一例を示す拡大図である。
【発明を実施するための形態】
【００２３】
以下、図面を参照して、本発明に係る日付マーカー付きカレンダー及び日付マーカーの実施形態について詳細に説明する。但し、以下に述べる実施形態には、本発明を実施するために技術的に好ましい種々の限定が付されているが、本発明の範囲を以下の実施形態及び図示例に限定するものではない。
【００２４】
図１は、本実施形態の日付マーカー付きカレンダー１００を示す斜視図である。
日付マーカー付きカレンダー１００は、例えば、図１に示すように、暦に関する日付が記載されている複数枚綴りのカレンダー用紙１０と、カレンダー用紙１０に着脱可能に取り付けられる日付マーカー２０と、を備えている。
【００２５】
カレンダー用紙１０は、その表側の面に暦の情報が印刷されている洋紙である。
複数枚のカレンダー用紙１０は、その上縁が綴じ具３０によって綴じられている。
本実施形態の日付マーカー付きカレンダー１００は、例えば１ヶ月カレンダーであり、１月から１２月までの１２枚のカレンダー用紙１０が綴じ具３０で綴じられており、使用済みとなった先月分のカレンダー用紙１０を１枚ずつ切り離すことが可能になっている。
【００２６】
綴じ具３０は、例えば、金属材料、樹脂材料あるいは紙材料からなり、複数枚のカレンダー用紙１０を切り離し可能に保持している。
なお、綴じ具３０は、カレンダー用紙１０を切り離し可能に保持するものに限らず、例えば、複数のリング部を備えた綴じ具であって、複数枚のカレンダー用紙１０を回動可能に保持し、使用済みのカレンダー用紙１０を前面側から背面側へ移動可能に綴じている綴じ具であってもよい。
【００２７】
日付マーカー２０は、カレンダーの日付のいずれかを指示するためにカレンダー用紙１０の表面側に取り付けられる表示具である。
この日付マーカー２０は、カレンダー用紙１０に静電気によって貼着する静電吸着シートを材料にした表示具である。
【００２８】
本実施形態では、日付マーカー２０の素材とする静電吸着シートとして、株式会社ユポ・コーポレーション社製の「ユポ静電吸着（登録商標）ＷＥＳＴ１５５」を用いた。
なお、株式会社ユポ・コーポレーション社製の静電吸着シートに関する技術については、例えば、特開２０１２−１４５９３６号公報に開示されているので、ここでは詳述しない。
【００２９】
本実施形態の日付マーカー２０には、少なくとも一部が着色されている透明又は半透明の静電吸着シートであって、円形状を呈している静電吸着シートを用いている。
透明や半透明の静電吸着シートからなる日付マーカー２０であれば、カレンダー用紙１０の日付部分に貼着しても、その日付マーカー２０を透過させて日付を視認することができる。
【００３０】
具体的には、日付マーカー２０として、例えば、図１、図２（ａ）に示すように、円形状を呈し、その外縁が枠状に着色されている透明の静電吸着シートを用いることができる。
また、日付マーカー２０として、例えば、図２（ｂ）に示すように、淡色あるいは中色に着色された半透明の静電吸着シートを円形状にカットして形成したものを用いることができる。なお、濃色に着色された半透明の静電吸着シートを用いると、その日付マーカー２０が重なった日付が視認し難くなるので、日付マーカー２０（静電吸着シート）の半透明色は適宜選択、調整されている。
ここでの日付マーカー２０は、カレンダー用紙１０の紙面の「１６」部分に貼着されており、「１月１６日」を指し示している。
【００３１】
特に、この日付マーカー２０は、カレンダー用紙１０の表面をスライド移動可能に静電気によって貼着されている。
例えば、日付マーカー２０で当日の日付を指し示すように使用している場合、その日付の変更を行う際に、例えば、図３に示すように、日付マーカー２０を指先でずらすようにスライド移動させて、日付マーカー２０で指示する日付を容易に切り替えることができる。
なお、日付マーカー２０をスライド移動させるのは、当日の日付を切り替える場合に限らない。例えば、日付マーカー２０を、覚えておくべき予定のある日付を強調する目印として使用している場合、その予定変更に応じて日付マーカー２０で指し示す日付を切り替える際にも、日付マーカー２０を指先でずらすようにスライド移動させることができる。
【００３２】
このように、静電気によってカレンダー用紙１０に貼着した日付マーカー２０（静電吸着シート）を指先でずらすように、カレンダー用紙１０の表面を好適にスライド移動させることができる条件について、本発明者らが鋭意検討した結果、表１に示すように、カレンダー用紙１０の表面の平滑度は、ＪＩＳ  Ｐ８１５５（２０１０）に準拠して測定した王研式平滑度で、１０［秒］以上、１００００［秒］以下であることが好ましいことを、本発明者らが見出した。
なお、カレンダー用紙１０の表面の平滑度は、ＪＩＳ  Ｐ８１５５（２０１０）に準拠して測定した王研式平滑度で、１０［秒］以上、５０００［秒］以下であることがより好ましく、１０［秒］以上、３０００［秒］以下であればより一層好ましいことを、本発明者らは見出している。
本実施形態では、カレンダー用紙１０の表面の平滑度の測定に、旭精工社製「デジタル型王研式透気度平滑度試験機」を使用した。
このような表面の平滑度を有する紙材としては、例えば、上質紙、マットコート紙、コート紙などがある。
つまり、このような紙材を用いたカレンダー用紙１０であれば、カレンダー用紙１０に貼着した日付マーカー２０（静電吸着シート）を好適にスライド移動させることができる。
なお、平滑度が高い高光沢合成紙には、日付マーカー２０（静電吸着シート）が強く吸着し、指先でスライド移動させ難い問題があった（マーカー滑り性「×」）。
また、平滑度が低いファンシーペーパーに対しては日付マーカー２０（静電吸着シート）の吸着が弱く、剥がれ易い問題があった（吸着力維持性「×」）。
【００３３】
【表１】
2019159070.tif 000003
【００３４】
また、静電気によってカレンダー用紙１０に貼着した日付マーカー２０（静電吸着シート）を指先でずらすように、カレンダー用紙１０の表面を好適にスライド移動させることができる条件について、更に、本発明者らが検討した結果、表１に示すように、カレンダー用紙１０の表面粗さは、ＪＩＳ  Ｂ０６０１（２０１３）に準拠して測定した３次元粗さにおける最大高さＳＲｔ［μｍ］が、３［μｍ］以上、３０［μｍ］以下であることが好ましいことを、本発明者らが見出した。
本実施形態では、カレンダー用紙１０の表面粗さの測定に、東京精密社製「サーフコム１５００ＤＸ２」を使用した。
このような表面粗さを有する紙材としては、例えば、上質紙、マットコート紙、コート紙などがある。
つまり、このような紙材を用いたカレンダー用紙１０であれば、カレンダー用紙１０に貼着した日付マーカー２０（静電吸着シート）を好適にスライド移動させることができる。
なお、表面粗さが低い高光沢合成紙には、日付マーカー２０（静電吸着シート）が強く吸着し、指先でスライド移動させ難い問題があった（マーカー滑り性「×」）。
また、表面粗さが高いファンシーペーパーに対しては日付マーカー２０（静電吸着シート）の吸着が弱く、剥がれ易い問題があった（吸着力維持性「×」）。
【００３５】
また、本実施形態では、日付マーカー２０として、直径３．０ｃｍ〜４．０ｃｍ程度の円形状にカットした静電吸着シートを用いた。
例えば、サイズが７ｃｍ２〜１３ｃｍ２程度の日付マーカー２０（静電吸着シート）であれば、カレンダー用紙１０に貼着した日付マーカー２０を指先でずらすように好適にスライド移動させることができる。
【００３６】
例えば、２０ｃｍ２以上の接触面を有する日付マーカー２０（静電吸着シート）であると、その静電吸着シートのサイズ（接触面）の増大に応じて強くなった静電吸着力のために、カレンダー用紙１０に貼着した日付マーカー２０をスライド移動させ難くなることがある。
また、２ｃｍ２以下の接触面を有する日付マーカー２０（静電吸着シート）であると、その静電吸着シートのサイズ（接触面）の縮小に応じて弱くなった静電吸着力のために、日付マーカー２０がカレンダー用紙１０から剥がれ落ち易くなることがある。
これに対し、カレンダー用紙１０に貼着する日付マーカー２０が上記したようなサイズ（接触面）を有していれば、カレンダー用紙１０に貼着した日付マーカー２０をスライド移動させ易く、好適に使用できる。
【００３７】
このように、本実施形態の日付マーカー付きカレンダー１００であれば、日付マーカー２０をカレンダー用紙１０に貼着して、その日付マーカー２０でカレンダーの日付を指示することができる。
そして、カレンダー用紙１０に静電気の力（静電吸着力）によって貼着した日付マーカー２０は、指先でずらすようにカレンダー用紙１０の表面をスライド移動させることができるので、日付マーカー２０で指し示すカレンダーの日付を容易に切り替えることができる。
こうして日付マーカー２０を毎日移動させて、当日の日付を強調するように指し示せば、日付マーカー付きカレンダー１００を見ることで日付の確認ができるので、その日付に関する思い違いや勘違いなどを防ぐことができる。
【００３８】
なお、日付マーカー２０をカレンダー用紙１０に貼着し、当日の日付を認識し易くすることについて上述したが、本発明は上記実施形態に限られるものではない。
例えば、日付マーカー２０に文字や図柄などをプリントしておき、その文字や図柄によってカレンダーの日付を強調するために、日付マーカー２０をカレンダー用紙１０に貼着して使用してもよい。
例えば、図４に示すように、「誕生日」と印字された静電吸着シートからなる日付マーカー２０であれば、誕生日などの記念日の日付を強調する目印として日付マーカー２０を使用することができる。また、「特売日」と印字された静電吸着シートからなる日付マーカー２０であれば、うっかり忘れがちな特売日の日付を強調する目印として日付マーカー２０を使用することができる。
【００３９】
なお、日付マーカー２０（静電吸着シート）にプリントされる文字や図柄などは任意であり、例えば「休暇」「給料日」「締切日」「食事会・飲み会」「塾・習い事」などといった、覚えておくべきスケジュールなど様々な用途に応じた日付マーカー２０を各種用意しておけばよい。
つまり、カレンダー用紙１０に取り付けて使用する日付マーカー２０は１つであることに限らず、２つ以上の日付マーカー２０をカレンダー用紙１０に取り付けて使用するようにしてもよい。
このように日付マーカー２０をスケジュール管理で使用する場合も、スケジュール変更に応じて日付マーカー２０をスライド移動させることができ、また、カレンダー用紙１０から取り外すこともできる。
【００４０】
また、例えば、図５に示すように、日付マーカー２０（静電吸着シート）に、日付マーカー付きカレンダー１００を宣伝用に製作した企業の社名、電話番号、ＵＲＬ、あるいはロゴマークなどをプリントしておくようにしてもよい。
また、日付マーカー付きカレンダー１００が、アニメキャラクターや人気タレントのカレンダーである場合、日付マーカー２０（静電吸着シート）にキャラクターのイラストやタレントの写真などをプリントしておくようにしてもよい。
【００４１】
なお、以上の実施の形態においては、円形状を有している日付マーカー２０を例に説明したが、本発明はこれに限定されるものではなく、日付マーカー２０の形状は任意である。
例えば、日付マーカー２０は、カレンダー用紙１０の日付の枡目に対応した矩形状を有していたり、アニメキャラクターなどのカレンダーに対応させてネズミやネコなどの輪郭を模した形状を有していたりしてもよい。
なお、矩形状の日付マーカー２０とする場合、丸みを帯びた角部を有するように形成することが好ましい。矩形の角が尖っているよりも丸みを帯びていた方が、カレンダー用紙１０に貼着した日付マーカー２０をスライド移動させ易い。その他の任意の形状の日付マーカー２０でも角部があるような場合、その部分を尖らせるよりも丸みを帯びた形状に形成するのが好ましい。
【００４２】
また、日付マーカー付きカレンダー１００は、１ヶ月カレンダーであることに限らず、一紙面に印刷されているカレンダーの月数は任意であり、例えば２か月分、３か月分、６か月分、１２か月分のカレンダーが印刷されているものでもよい。
特に、カレンダー用紙１０の一紙面に複数月のカレンダーが印刷されている場合、当日の日付を指し示している日付マーカー２０が貼着されている当月のカレンダーを速やかに認識することができる。
【００４３】
また、カレンダー用紙１０に静電気によって貼着する日付マーカー２０であれば、その日付マーカー２０を貼着した跡がカレンダー用紙１０に残らず、カレンダー用紙１０を傷めてしまうことがないので、毎日の日付の切り替えや、度重なるスケジュール変更にも、好適に繰り返し使用できる。
例えば、接着剤を用いてシール加工された日付マーカーが知られているが（一例としては、実開平６−８１７５９号公報の技術）、シール加工された日付マーカーであると、指先でスライド移動させることができないのは勿論のこと、その日付マーカーの貼り直しも困難である。例えば、シール加工された日付マーカーの貼り直しを行うと、シールを剥がした跡がカレンダー用紙１０についてしまい、紙面を傷めてしまうことがあるので好ましくない。
また、貼り直し可能な粘着性を有するシール材を用いた日付マーカーであっても、貼り直しを繰り返すうちに、その粘着面に埃や汚れが付着するなどして粘着力が低下することがあるので、繰り返し使用するには不向きである。
【００４４】
また、本実施形態では、日付マーカー２０の素材とする静電吸着シートとして、株式会社ユポ・コーポレーション社製の「ユポ静電吸着（登録商標）ＷＥＳＴ１５５」を用いたが、日付マーカー２０の素材となる静電吸着シートはこれに限らず、これと同等の静電吸着性を有するものであれば、任意の静電吸着シートを用いることができる。
【００４５】
また、その他、具体的な細部構造等についても適宜に変更可能であることは勿論である。
【符号の説明】
【００４６】
１０    カレンダー用紙
２０    日付マーカー
３０    綴じ具
１００  日付マーカー付きカレンダー
【図１】
2019159070.tif 000004
【図２】
2019159070.tif 000005
【図３】
2019159070.tif 000006
【図４】
2019159070.tif 000007
【図５】
2019159070.tif 000008